(57)【要約】【課題】鍵によらず施錠・解錠が可能で、鍵の管理を要しない貨幣入出金装置を提供する。【解決手段】貨幣入出金装置は、ユーザ制限部と、内部ユニットと、筐体と、払出制御部と、付勢部と、ロック部と、解錠制御部と、を備える。ユーザ制限部は、上位装置から認証情報を受信した場合に自装置の稼働を可能にする。内部ユニットは、硬貨ないし紙幣を収納する収納部を含む。筐体は、前記内部ユニットを内蔵する。払出制御部は、前記上位装置から送信される払出制御信号に基づいて前記収納部から硬貨を払い出す。付勢部は、前記内部ユニットを前記筐体から押し出す方向に付勢する。ロック部は、電磁気制御で解錠可能で、施錠時は前記内部ユニットを前記付勢部による付勢に抗して前記筐体内に留める。解錠制御部は、前記上位装置から送信される開放指示信号に基づいて前記ロック部の解錠を制御する。【選択図】図２
2018026181.tif 000002
【特許請求の範囲】
【請求項１】
上位装置から認証情報を受信した場合に自装置の稼働を可能にするユーザ制限部と、
硬貨ないし紙幣を収納する収納部を含む内部ユニットと、
前記内部ユニットを内蔵する筐体と、
前記上位装置から送信される払出制御信号に基づいて前記収納部から硬貨を払い出す払出制御部と、
前記内部ユニットを前記筐体から押し出す方向に付勢する付勢部と、
電磁気制御で解錠可能で、施錠時は前記内部ユニットを前記付勢部による付勢に抗して前記筐体内に留めるロック部と、
前記上位装置から送信される開放指示信号に基づいて前記ロック部の解錠を制御する解錠制御部と、
を備える貨幣入出金装置。
【請求項２】
前記解錠制御部は、前記ロック部の解錠から所定時間内に施錠操作があった場合、再度前記ロック部に解錠させる
ことを特徴とする請求項１に記載の貨幣入出金装置。
【請求項３】
前記解錠制御部は、解錠理由が内部ユニットにおけるエラー発生であった場合、エラーが排除されないうちは、施錠操作があっても、再度前記ロック部に解錠させる
ことを特徴とする請求項１または２に記載の貨幣入出金装置。
【請求項４】
上位装置から認証情報を受信した場合に自装置の稼働を可能にするユーザ制限部と、
硬貨ないし紙幣を収納する収納部を含む内部ユニットと、
前記内部ユニットを内蔵する筐体と、
前記上位装置から送信される払出制御信号に基づいて前記収納部から硬貨を払い出す払出制御部と、
前記内部ユニットにおけるエラーの発生に際して当該エラーの種類を判別するエラー判別部と、
前記内部ユニットを前記筐体から押し出す方向に付勢する付勢部と、
電磁気制御で解錠可能で、施錠時は前記内部ユニットを前記付勢部による付勢に抗して前記筐体内に留めるロック部と、
前記エラー判別部により判別されたエラーが、エラー排除に内部ユニットの開放を要する種類のものである場合、前記ロック部に解錠させる解錠制御部と、
を備える貨幣入出金装置。
【請求項５】
上位装置から認証情報を受信した場合に自装置の稼働を可能にするユーザ制限部と、硬貨ないし紙幣を収納する収納部を含む内部ユニットと、前記内部ユニットを内蔵する筐体と、前記上位装置から送信される払出制御信号に基づいて前記収納部から硬貨を払い出す払出制御部と、前記内部ユニットを前記筐体から押し出す方向に付勢する付勢部と、電磁気制御で解錠可能で、施錠時は前記内部ユニットを前記付勢部による付勢に抗して前記筐体内に留めるロック部と、前記上位装置から送信される開放指示信号に基づいて前記ロック部の解錠を制御する解錠制御部と、を備える貨幣入出金装置に接続される前記上位装置としての販売情報処理装置であって、
ユーザの認証情報の入力があった場合に自装置の稼働を可能にするユーザ制限部と、
前記認証情報を前記貨幣入出金装置へ送信するユーザ情報送信部と、
前記貨幣入出金装置が出力した信号に基づいて前記貨幣入出金装置に発生したエラーの種類を判別するエラー判別部と、
前記エラー判別部により判別されたエラーが、エラー排除に前記内部ユニットの開放を要する種類のものである場合、前記貨幣入出金装置に前記内部ユニットの開放を指示する信号を送信する開放指示部と、
を備える販売情報処理装置。
【発明の詳細な説明】
【技術分野】
【０００１】
本発明の実施形態は、貨幣入出金装置および販売情報処理装置に関する。
【背景技術】
【０００２】
従来、ＰＯＳ端末装置などの販売情報処理装置とともに、硬貨や紙幣を取り込んで収納し、必要に応じて釣銭として排出する貨幣入出金装置が用いられている。このような装置において、硬貨（または紙幣）が詰まった場合など、内部ユニットを露出させる必要が生じることがある。内部ユニットは、筐体に収納されて施錠されていて、メンテナンスに際しては、鍵を用いて解錠する。鍵は、錠を機械的に解錠・施錠する。
【０００３】
このため、上述のような装置を用いる現場では、鍵の紛失や盗難がないよう、鍵を厳重に管理しなければならない。こういった管理は、煩雑である。
【発明の概要】
【発明が解決しようとする課題】
【０００４】
本発明が解決しようとする課題は、鍵によらず施錠・解錠が可能で、鍵の管理を要しない貨幣入出金装置、および貨幣入出金装置の解錠を管理する販売情報処理装置、を提供することである。
【課題を解決するための手段】
【０００５】
実施形態の貨幣入出金装置は、ユーザ制限部と、内部ユニットと、筐体と、払出制御部と、付勢部と、ロック部と、解錠制御部と、を備える。ユーザ制限部は、上位装置から認証情報を受信した場合に自装置の稼働を可能にする。内部ユニットは、硬貨ないし紙幣を収納する収納部を含む。筐体は、前記内部ユニットを内蔵する。払出制御部は、前記上位装置から送信される払出制御信号に基づいて前記収納部から硬貨を払い出す。付勢部は、前記内部ユニットを前記筐体から押し出す方向に付勢する。ロック部は、電磁気制御で解錠可能で、施錠時は前記内部ユニットを前記付勢部による付勢に抗して前記筐体内に留める。解錠制御部は、前記上位装置から送信される開放指示信号に基づいて前記ロック部の解錠を制御する。
【０００６】
実施形態の貨幣入出金装置は、ユーザ制限部と、内部ユニットと、筐体と、払出制御部と、エラー判別部と、付勢部と、ロック部と、解錠制御部と、を備える。ユーザ制限部は、上位装置から認証情報を受信した場合に自装置の稼働を可能にする。内部ユニットは、硬貨ないし紙幣を収納する収納部を含む。筐体は、前記内部ユニットを内蔵する。払出制御部は、前記上位装置から送信される払出制御信号に基づいて前記収納部から硬貨を払い出す。エラー判別部は、前記内部ユニットにおけるエラーの発生に際して当該エラーの種類を判別する。付勢部は、前記内部ユニットを前記筐体から押し出す方向に付勢する。ロック部は、電磁気制御で解錠可能で、施錠時は前記内部ユニットを前記付勢部による付勢に抗して前記筐体内に留める。解錠制御部は、前記エラー判別部により判別されたエラーが、エラー排除に内部ユニットの開放を要する種類のものである場合、前記ロック部に解錠させる。
【０００７】
実施形態の販売情報処理装置は、貨幣入出金装置に接続される上位装置としての販売情報処理装置であって、ユーザ制限部と、ユーザ情報送信部と、エラー判別部と、開放指示部と、を備える。ユーザ制限部は、ユーザの認証情報の入力があった場合に自装置の稼働を可能にする。ユーザ情報送信部は、前記認証情報を前記貨幣入出金装置へ送信する。エラー判別部は、前記貨幣入出金装置が出力した信号に基づいて前記貨幣入出金装置に発生したエラーの種類を判別する。開放指示部は、前記エラー判別部により判別されたエラーが、エラー排除に前記内部ユニットの開放を要する種類のものである場合、前記貨幣入出金装置に前記内部ユニットの開放を指示する信号を送信する。貨幣入出金装置は、上位装置から認証情報を受信した場合に自装置の稼働を可能にするユーザ制限部と、硬貨ないし紙幣を収納する収納部を含む内部ユニットと、前記内部ユニットを内蔵する筐体と、前記上位装置から送信される払出制御信号に基づいて前記収納部から硬貨を払い出す払出制御部と、前記内部ユニットを前記筐体から押し出す方向に付勢する付勢部と、電磁気制御で解錠可能で、施錠時は前記内部ユニットを前記付勢部による付勢に抗して前記筐体内に留めるロック部と、前記上位装置から送信される開放指示信号に基づいて前記ロック部の解錠を制御する解錠制御部と、を備える。
【図面の簡単な説明】
【０００８】
【図１】図１は、実施形態のＰＯＳ端末装置（販売情報処理装置）、硬貨釣銭機および紙幣釣銭機（貨幣入出金装置）の外観を示す斜視図である。
【図２】図２は、実施形態のカバーから本体部を引き出した状態の硬貨釣銭機の外観を示す斜視図である。
【図３】図３は、実施形態のロック部の一部であるフックが設けられた本体部を模式的に示す（ａ）斜視図、（ｂ）右側面図、および（ｃ）平面図である。
【図４】図４は、実施形態のフックとともにロック部を構成するラッチの施錠時の動きを時系列に（ａ）、（ｂ）、（ｃ）で示す模式図である。
【図５】図５は、実施形態の付勢部の位置を模式的に示す本体部およびカバーの平面図である。
【図６】図６は、実施形態の硬貨釣銭機を構成するハードウェアの電気的接続を示すブロック図である。
【図７】図７は、実施形態の硬貨釣銭機の制御部が備える機能を示すブロック図である。
【図８】図８は、実施形態のＰＯＳ端末装置の制御部が備える機能を示すブロック図である。
【図９】図９は、実施形態のエラー判別部が参照するエラー判別情報を示す図である。
【図１０】図１０は、実施形態の硬貨釣銭機の制御部が行う制御の流れを示すフローチャートである。
【図１１】図１１は、実施形態のＰＯＳ端末装置の制御部が行う制御の流れを示すフローチャートである。
【図１２】図１２は、実施形態の硬貨釣銭機の制御部が行う制御の流れを示すフローチャートである。
【発明を実施するための形態】
【０００９】
（第１の実施形態）
実施形態について図面を用いて説明する。図１は、ＰＯＳ端末装置１００、硬貨釣銭機２００および紙幣釣銭機３００の外観を示す斜視図である。ＰＯＳ端末装置１００は、商品などの売上処理を実行する販売情報処理装置の一例である。硬貨釣銭機２００および紙幣釣銭機３００は、貨幣入出金装置の一例である。硬貨釣銭機２００および紙幣釣銭機３００は、ＰＯＳ端末装置１００に接続されて使用され、ＰＯＳ端末装置１００から送られる信号に従って動作する。
【００１０】
ＰＯＳ端末装置１００は、オペレータ（ユーザ、操作者）に対して報知すべき情報を表示する表示部１１１や、オペレータによる操作を受け付ける操作部１１２などを、備えている。
【００１１】
硬貨釣銭機２００は、本体部２１０およびカバー２２０を備えている。カバー２２０は、筐体の一例であって、本体部２１０を内蔵する。
【００１２】
本体部２１０の奥側は、カバー２２０で覆われている。図２は、カバー２２０から本体部２１０を引き出した状態の硬貨釣銭機２００の外観を示す斜視図である。硬貨釣銭機２００は、スライドレール２３０を備えている。スライドレール２３０は、カバー２２０と本体部２１０との間に介在し、本体部２１０をカバー２２０に対して出し入れ自在に支える。
【００１３】
本体部２１０は、内部ユニットの一例であって、収納部２１１を含む。本体部２１０は、カバー２２０で覆われる部分に、硬貨を収納する収納部２１１を備えている。説明の便宜上、収納部２１１がカバー２２０で覆われるときの本体部２１０のカバー２２０に対する位置を、収納位置とする。収納部２１１は、硬貨の金種数だけあり、各々別の種類の硬貨を収納する。
【００１４】
本体部２１０は、さらに、投入口２１２や受皿２１３、搬送部２１４、表示操作パネル２４０などを備えている。
【００１５】
投入口２１２は、収納部２１１に収納する硬貨を外部から受け入れる入金口であって、本体部２１０の上面の手前側に設けられている。受皿２１３は、釣銭などとして収納部２１１から払い出した硬貨を受け止める上面開口の器であって、本体部２１０の正面に突出して設けられている。搬送部２１４は、投入口２１２に投入された硬貨を収納部２１１へと運ぶ。
【００１６】
表示操作パネル２４０は、本体部２１０の上面の手前側に設けられて、表示部２４１および操作ボタン２４２を備えている。表示部２４１は、報知部の一例であって、例えばエラーなど、オペレータに知らせる必要がある事象や指示、案内などを、文字等にて示す。操作ボタン２４２は、操作部の一例であって、オペレータによる操作を受け付け、操作に応じた信号を出力する。
【００１７】
紙幣釣銭機３００は、本体部３１０およびカバー３２０を備えている。本体部３１０の奥側は、カバー３２０で覆われている。紙幣釣銭機３００は、スライドレール（不図示）を備えている。スライドレールは、カバー３２０と本体部３１０との間に介在し、本体部３１０をカバー３２０に対して出し入れ自在に支える。
【００１８】
本体部３１０は、カバー３２０で覆われる部分に、紙幣を収納する収納部（不図示）を備えている。紙幣釣銭機３００は、さらに、本体部３１０の上面の手前側に、入金口３１１や出金口３１２、表示操作パネル３３０などを備えている。
【００１９】
入金口３１１は、収納部に収納する紙幣を外部から受け入れる口である。出金口３１２は、釣銭などとして収納部から払い出した紙幣を排出する口である。
【００２０】
表示操作パネル３３０は、表示部３３１および操作ボタン３３２を備えている。表示部３３１は、例えばエラーなど、オペレータに知らせる必要がある事象や指示、案内などを、文字等にて示す。操作ボタン３３２は、オペレータによる操作を受け付け、操作に応じた信号を出力する。
【００２１】
ここで、硬貨釣銭機２００のカバー２２０は、収納部２１１を覆った状態のとき、本体部２１０に対して位置固定（施錠）される。同様に、紙幣釣銭機３００のカバー３２０は、収納部を覆った状態のとき、本体部３１０に対して位置固定（施錠）される。以下、カバー２２０（３２０）の本体部２１０（３１０）に対する施錠・解錠について、硬貨釣銭機２００を例に説明する。
【００２２】
硬貨釣銭機２００は、ロック部２５０および付勢部２６０を備えている。図３は、ロック部２５０の一部であるフック２５１が設けられた本体部２１０を模式的に示す（ａ）斜視図、（ｂ）右側面図、および（ｃ）平面図である。図４は、フック２５１とともにロック部２５０を構成するラッチ２５２の施錠時の動きを時系列に（ａ）、（ｂ）、（ｃ）で示す模式図である。図５は、付勢部２６０の位置を模式的に示す本体部２１０およびカバー２２０の平面図である。
【００２３】
付勢部２６０は、本体部２１０をカバー２２０から押し出す方向に付勢する。付勢部２６０は、例えば、カバー２２０の奥側の内面と本体部２１０の背面とに挟まれる位置に設けられた圧縮つるまきばねである。
【００２４】
ロック部２５０は、いわゆる電磁ロックであって、電磁気制御で解錠可能で、施錠時は本体部２１０を付勢部２６０による付勢に抗してカバー２２０内に留める。ロック部２５０は、硬貨釣銭機２００に設けられて、カバー２２０が収納部２１１を覆う状態で、カバー２２０を本体部２１０に対して位置固定する。
【００２５】
フック２５１は、本体部２１０の背面に固定されている。ラッチ２５２は、カバー２２０内の奥側に設けられている。図４は、ラッチ２５２の一例である。このラッチ２５２は、一端部を鉤状に形成されて全体としては略Ｊ字型をなし、他端部を軸２５２ａによって回動自在に支持されている。
【００２６】
ラッチ２５２は、図４（ａ）における反時計回り方向（矢印Ａで示す）に、付勢部材（不図示）によって付勢されている。また、ラッチ２５２は、後述のユニット開閉ソレノイド４５３（図６）に引かれると、付勢部材の付勢に抗して、図４（ａ）における時計回り方向（矢印Ｂで示す）に回動する。
【００２７】
ラッチ２５２の屈曲部分の外側２５２ｂは、本体部２１０がカバー２２０内に押し込まれる際にフック２５１と摺動する（図４（ｂ））。また、ラッチ２５２の屈曲部分の内側２５２ｃは、本体部２１０が収納位置にあるとき、フック２５１を抱えるように引っかけ保持する（図４（ｃ））。
【００２８】
図６は、硬貨釣銭機２００を構成するハードウェアの電気的接続を示すブロック図である。硬貨釣銭機２００は、上記の他さらに、制御部４１１、ＲＯＭ（Read  Only  Memory）４１２、ＲＡＭ（Random  Access  Memory）４１３、投入口モータ４２１、搬送モータ４２２、払出モータ４２３、受皿残留検知センサ４３１、投入検知センサ４３２、金種識別センサ４３３、選別収納計数センサ４３４、払出計数センサ４３５、リジェクトシャッタソレノイド４４１、リジェクト取忘れセンサ４４２、通信Ｉ／Ｆ（インタフェース）４５１、ブザー４５２、および、ユニット開閉ソレノイド４５３を備えている。
【００２９】
制御部４１１は、ＣＰＵ（Central  Processing  Unit）である。ＲＯＭ４１２は、制御部４１１が実行する各種プログラムや各種データを記憶する。ＲＡＭ４１３は、制御部４１１がプログラムを実行する際に一時的にデータやプログラムを記憶する。そして、制御部４１１は、ＲＯＭ４１２から読み出したプログラムをＲＡＭ４１３に展開して実行することにより、上述の各部を統括的に制御する。
【００３０】
投入口モータ４２１は、投入口２１２の底面を構成する投入ベルト２１２ａを駆動させる。投入ベルト２１２ａは、いわゆるベルトコンベアであって、投入口２１２が受け入れた硬貨を搬送部２１４へと送る。
【００３１】
搬送モータ４２２は、搬送部２１４が備える搬送ベルト（不図示）を駆動させる。搬送ベルトは、搬送部２１４の底面を構成する平板状部材２１４ａに対向する無終端ベルト（エンドレスベルト）であって、回転することにより、平板状部材２１４ａとの間に挟んだ硬貨を移動させる。
【００３２】
払出モータ４２３は、各収納部２１１の底面を構成する払出ベルト（不図示）を駆動させる。払出ベルトは、いわゆるベルトコンベアであって、収納部２１１内の硬貨を受皿２１３方向へ送り出す。
【００３３】
受皿残留検知センサ４３１は、例えば光センサや磁気センサであって、受皿２１３上の釣銭などを検知する。投入検知センサ４３２は、例えば光センサであって、投入口２１２に投入された硬貨を検知する。金種識別センサ４３３は、例えば磁気センサであって、硬貨の正否や金種を識別する。選別収納計数センサ４３４は、例えば光センサであって、収納部２１１へ落下する硬貨の枚数を計数する。払出計数センサ４３５は、例えば光センサであって、収納部２１１から排出される硬貨の枚数を計数する。
【００３４】
リジェクトシャッタソレノイド４４１は、リジェクト孔２１５を塞ぐシャッタ２１６を開閉する。リジェクト孔２１５は、平板状部材２１４ａに設けられている。シャッタ２１６は、金種識別センサ４３３による識別結果などにより、正規の硬貨（正貨）でないと判断された硬貨（偽貨や外国の硬貨など）がリジェクト孔２１５を通過するタイミングでリジェクト孔２１５を開放し、当該硬貨を排出する。
【００３５】
リジェクト取忘れセンサ４４２は、例えば光センサや磁気センサであって、リジェクト皿２１７上の硬貨などを検知する。
【００３６】
通信Ｉ／Ｆ４５１は、上位装置であるＰＯＳ端末装置１００などの外部装置と自装置とを、通信可能に接続する。
【００３７】
ブザー４５２は、報知部の一例であって、ビープ音を発するもので、エラーなどをオペレータに報知する際に駆動される。
【００３８】
ユニット開閉ソレノイド４５３は、ロック部２５０の施錠・解錠を制御する。より詳細には、ユニット開閉ソレノイド４５３は、通電されると、付勢部材の付勢に抗してラッチ２５２を矢印Ｂ方向に引く。これにより、ラッチ２５２はフック２５１を保持しなくなる。すると、本体部２１０は、付勢部２６０により付勢されて、カバー２２０から押し出される。ユニット開閉ソレノイド４５３への通電が終了すると、ラッチ２５２は、付勢部材による矢印Ａ方向の付勢により回動して、常態に戻る。なお、図４に示すように、ラッチ２５２が常態にあるときに本体部２１０を矢印Ｃ方向へ移動させると、フック２５１がラッチ２５２に引っかけ保持される。
【００３９】
図７は、硬貨釣銭機２００の制御部４１１が備える機能を示すブロック図である。制御部４１１は、ＲＯＭ４１２が記憶するプログラムをＲＡＭ４１３に展開して実行することにより、ユーザ制限部４６１や、払出制御部４６２、解錠制御部４６３として機能する。つまり、硬貨釣銭機２００は、ユーザ制限部４６１、払出制御部４６２、および解錠制御部４６３を備えている。
【００４０】
ユーザ制限部４６１は、上位装置から認証情報を受信した場合に、自装置の稼働を可能にする。つまり、ユーザ制限部４６１は、認証情報を提供しないオペレータによる自装置の使用を制限する。
【００４１】
より詳細には、まず、店舗が認める正規のオペレータは、ＩＤ情報が記録されたカードなどを持っている。オペレータは、販売情報の登録などを行う前に、ＩＤ情報を、ＰＯＳ端末装置１００に読み込ませる。これにより、ＰＯＳ端末装置１００は、販売情報の登録や決済を可能にする。このとき、ＰＯＳ端末装置１００は、自装置の下位装置である硬貨釣銭機２００や紙幣釣銭機３００に対し、認証情報を送信する。この認証情報は、オペレータのＩＤ情報であってもよいし、あるいは、ＰＯＳ端末装置１００と下位装置各々との間で定められた信号であってもよい。ユーザ制限部４６１は、ＰＯＳ端末装置１００から認証情報の入力を受けて、自装置の稼働を可能にする。すなわち、ユーザ制限部４６１は、硬貨釣銭機２００の操作ボタン２４２による操作の受付を開始したり、入金や出金に伴う各部の動作を可能にしたりする。
【００４２】
払出制御部４６２は、上位装置から送信される払出制御信号に基づいて収納部２１１から硬貨を払い出す。より詳細には、払出制御部４６２は、ＰＯＳ端末装置１００から払出制御信号を受けると、払出モータ４２３を制御し、これにより、払出制御信号に応じて所定の金種および枚数の硬貨を、収納部２１１から払い出す。
【００４３】
解錠制御部４６３は、上位装置から送信される開放指示信号に基づいて、ロック部２５０の解錠を制御する。より詳細には、解錠制御部４６３は、ＰＯＳ端末装置１００から開放指示信号を受けると、ユニット開閉ソレノイド４５３を制御し、これにより、ロック部２５０を解錠する。なお、ユニット開閉ソレノイド４５３が通電されていない状態で、カバー２２０内へ本体部２１０を押し込むと、ロック部２５０が施錠状態となる。
【００４４】
ここで、図８は、ＰＯＳ端末装置１００の制御部１２０が備える機能を示すブロック図である。ＰＯＳ端末装置１００は、制御部（ＣＰＵ）１２０や、ＲＯＭ、ＲＡＭ、ＨＤＤ（Hard  Disk  Drive）（いずれも不図示）などを備えている。
【００４５】
ＲＯＭは、制御部１２０が実行する各種プログラムや各種データを記憶する。ＲＡＭは、制御部１２０がプログラムを実行する際に一時的にデータやプログラムを記憶する。そして、制御部１２０は、ＲＯＭから読み出したプログラムをＲＡＭに展開して実行することにより、上述の各部を統括的に制御する。
【００４６】
制御部１２０は、ＲＯＭに記憶されたプログラムをＲＡＭに展開して実行することにより、ユーザ制限部１２１や、ユーザ情報送信部１２２、エラー判別部１２３、開放指示部１２４として機能する。つまり、ＰＯＳ端末装置１００は、ユーザ制限部１２１、ユーザ情報送信部１２２、エラー判別部１２３、および開放指示部１２４を備えている。
【００４７】
ユーザ制限部１２１は、オペレータの認証情報（ＩＤ情報、上述）の入力があった場合に自装置（すなわちＰＯＳ端末装置１００）の稼働を可能にする。つまり、ユーザ制限部１２１は、認証情報を提供しないオペレータによる自装置の使用を制限する。ユーザ情報送信部１２２は、ユーザ制限部１２１が自装置の稼働を可能にすると、認証情報を、硬貨釣銭機２００や紙幣釣銭機３００へ送信する。
【００４８】
エラー判別部１２３は、硬貨釣銭機２００や紙幣釣銭機３００が出力した信号に基づいて、硬貨釣銭機２００や紙幣釣銭機３００に発生したエラーの種類を判別する。ここで、図９は、エラー判別部１２３が参照するエラー判別情報を示す図である。エラー判別情報は、ＰＯＳ端末装置１００のＨＤＤなどが予め例えばテーブルの形式で記憶している。エラー判別部１２３は、硬貨釣銭機２００が出力したエラーコードに関連付けられた情報を、エラー判別情報から読み出す。例えば、エラーコードが「００００１」であるとき、エラー内容が「硬貨詰まり」であって、補足情報であるエラー詳細が「硬貨識別部にて」であり、「内部ユニットの開放の要否」は「要」であるという情報が得られる。制御部１２０は、エラー判別部１２３が取得した情報を表示部１１１に表示させて、オペレータにエラーへの対応を促す。
【００４９】
開放指示部１２４は、エラー判別部１２３により判別されたエラーが、エラー排除にあたって本体部２１０の開放を要する種類のものである場合、硬貨釣銭機２００に本体部２１０の開放を指示する信号（開放指示信号、上述）を送信する。つまり、開放指示部１２４は、エラー判別部１２３が取得した情報のうち「内部ユニットの開放の要否」が「要」であった場合に、硬貨釣銭機２００に開放指示信号を送信する。
【００５０】
以下、図１０〜図１２のフローチャートを参照し、下位装置でのエラー発生時における各制御部１２０、４１１による制御の流れを説明する。図１０および図１２は、硬貨釣銭機２００の制御部４１１が行う制御の流れを示すフローチャートである。図１１は、ＰＯＳ端末装置１００の制御部１２０が行う制御の流れを示すフローチャートである。
【００５１】
制御部４１１は、図１０に示す処理において、自装置（硬貨釣銭機２００）のエラー発生を監視する（ステップＳ１１）。制御部４１１は、エラー発生がないとき（ステップＳ１１のＮｏ）、待機する。制御部４１１は、エラー発生があるとき（ステップＳ１１のＹｅｓ）、エラーコードを上位装置（ＰＯＳ端末装置１００）へ送信し（ステップＳ１２）、本処理を終了する。
【００５２】
制御部１２０は、図１１に示す処理において、硬貨釣銭機２００からのエラーコード入力を待機する（ステップＳ２１のＮｏ）。制御部１２０は、硬貨釣銭機２００からエラーコードの入力があると（ステップＳ２１のＹｅｓ）、エラー判別情報（図９）を参照する。そして、制御部１２０は、エラーコードに関連付けられた情報において、当該エラーの排除に際して本体部２１０（内部ユニット）の開放を要するとされているとき（ステップＳ２２のＹｅｓ）、本体部２１０の開放を指示する開放指示信号を硬貨釣銭機２００へ送信する（ステップＳ２３）。また、このとき制御部１２０は、表示部１１１にエラー情報やオペレータへの指示を表示させる。そして、制御部１２０は当該処理を終了する。
【００５３】
制御部４１１は、図１２に示す処理において、上位装置（ＰＯＳ端末装置１００）からの開放指示信号の入力を待機し（ステップＳ３１のＮｏ）、開放指示信号の入力があると（ステップＳ３１のＹｅｓ）、ロック部２５０を解錠する（ステップＳ３２）。
【００５４】
続いて、制御部４１１は、ロック部２５０の解錠からの経過時間を測定し、所定時間経過を待機する（ステップＳ３３のＮｏ〜ステップＳ３４のＮｏ）。ここでの所定時間は、少なくとも、エラーの排除に必要最低限な長さの時間である。そして、所定時間経過に伴い（ステップＳ３３のＹｅｓ）、制御部４１１は本処理を終了する。
【００５５】
ステップＳ３３において、所定時間経過前に（ステップＳ３３のＮｏ）ロック部２５０が施錠された場合（ステップＳ３４のＹｅｓ）、ロック部２５０を再度解錠する（ステップＳ３５）。
【００５６】
上述の処理は、エラー排除前に誤って施錠した場合の救済措置である。すなわち、ロック部２５０の解錠から所定の時間が経過する前にロック部２５０が施錠された場合、エラー未排除にもかかわらず誤って本体部２１０をカバー２２０に押し込んだとし、自動的に再解錠する。これにより、オペレータが所定の手順をふんで改めて解錠するなどの手間を省くことができる。
【００５７】
ここで、上述の処理中、制御部４１１は、エラー発生に際し、エラー報知を行っている。すなわち、制御部４１１は、ブザー４５２を鳴動させるとともに表示部２４１にエラー情報やオペレータへの指示を表示させている。オペレータは、表示部２４１（ないし表示部１１１）を確認した後、操作ボタン２４２を操作することにより、ブザー４５２の鳴動を停止させる。
【００５８】
このとき、制御部４１１（解錠制御部４６３）は、操作ボタン２４２による操作受付に伴って、ロック部２５０に解錠させる。これにより、オペレータがエラー発生に気づいていないにもかかわらず本体部２１０がカバー２２０から押し出されてオペレータを無用に驚かせてしまうなどの不都合を避けることができる。
【００５９】
さらには、制御部４１１（解錠制御部４６３）は、上述の操作ボタン２４２がエラー報知解除にかかる操作を受け終えたところで、ロック部２５０に解錠させる。より詳細には、制御部４１１は、操作ボタン２４２の押下に伴う信号出力が終了したタイミングで、あるいは当該タイミングより後に、ロック部２５０に解錠させる。これにより、表示操作パネル２４０に押下方向の力が加えられた状態のままでの本体部２１０の移動を避けることができる。
【００６０】
解錠に伴う本体部２１０の移動方向と操作ボタン２４２の押下方向とは一致しないので、操作ボタン２４２の押下中に本体部２１０を移動させてしまうと、本体部２１０やカバー２２０、スライドレール２３０に無用な負荷がかかることになり、好ましくない。しかしながら、当該処理のように、操作ボタン２４２が操作を受け終えたところでの解錠であれば、上述の無用な負荷を避けることができる。
【００６１】
このように、第１の実施形態によれば、電磁ロックにより本体部２１０とカバー２２０との施錠・解錠を行うことができる。これにより、鍵を鍵穴に差し込んでの施錠・解錠でなくすることができるので、鍵を不要とすることができる。したがって、鍵を厳重に管理する煩わしさをなくすことができる。
【００６２】
また、本実施形態によれば、電磁ロックによる施錠・解錠としたことによって、単に鍵を手にしているかではなく、ＩＤ情報の認証の下の解錠制御とすることが可能となる。したがって、オペレータの権限に応じた解錠制御を行うことができる。より具体的には、権限を有するオペレータの操作中にはエラー発生時の即時解錠を可能とするとともに、権限に満たないオペレータが操作中にはエラーが発生しても直ちに解錠はしない、などの制御が可能となる。
【００６３】
なお、本実施形態では、解錠からの経過時間によってエラー未排除を判断しているが、実施にあたっては、下位装置においてエラーを検知したセンサの出力を再確認するなど他の手法によってエラー未排除の判断を行ってもよい。
【００６４】
（第２の実施形態）
上述の第１の実施形態では、ＰＯＳ端末装置１００がエラー判別部１２３を備えていたが、本実施形態では、硬貨釣銭機２００がエラー判別部（不図示）を備える。すなわち、上述の第１の実施形態では、図９のエラー判別情報を、ＰＯＳ端末装置１００が記憶し用いていたが、本実施形態では、硬貨釣銭機２００が、エラー判別情報をＲＡＭ４１２などに記憶しておき、これを参照して解錠の制御にあたる。
【００６５】
また、本実施形態の解錠制御部は、上述のエラー判別部により判別されたエラーが、エラー排除に本体部２１０の開放を要する種類のものである場合に、ロック部２５０に解錠させる。
【００６６】
そして、本実施形態においても、第１の実施形態と同様に、硬貨釣銭機２００はユーザ制限部４６１を備え、認証情報のチェックを経て自装置の稼働を可能にする。
【００６７】
硬貨釣銭機２００にエラーが発生した場合、制御部４１１は、まず、オペレータへのエラー報知を行う。すなわち、制御部４１１は、ＰＯＳ端末装置１００にエラー発生を連絡するとともに、ブザー４５２を鳴動させ、表示部２４１にエラー情報やオペレータへの指示を表示する。そして、制御部４１１は、エラー判別部により判別されたエラーがエラー排除にあたって本体部２１０の開放を要する種類のものである場合に、ロック部２５０に解錠させる。
【００６８】
このように、第２の実施形態によっても、第１の実施形態と同様に、電磁ロックにより本体部２１０とカバー２２０との施錠・解錠を行うことができ、これにより、鍵を厳重に管理する煩わしさをなくすとともに、ＩＤ情報の認証の下の解錠制御とすることが可能となる。
【００６９】
また、本実施形態によれば、上位装置によらずにエラー判別を行うことができるので、上位装置の負担を軽減する構成とすることができる。
【００７０】
なお、第１および第２の実施形態において、エラー判別情報をテーブルの形式で記憶したのは一例であって、テーブル以外のデータ形式で記憶していても構わない。
【００７１】
以上、カバー２２０（３２０）の本体部２１０（３１０）に対する施錠・解錠について、硬貨釣銭機２００を例に説明したが、この実施形態を紙幣釣銭機３００に適用してよいことは言うまでもない。
【００７２】
なお、上述した両実施形態の貨幣入出金装置および販売情報処理装置で実行されるプログラムは、ＲＯＭ等に予め組み込まれて提供される。
上述した両実施形態の貨幣入出金装置および販売情報処理装置で実行されるプログラムは、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録して提供するように構成してもよい。
さらに、上述した両実施形態の貨幣入出金装置および販売情報処理装置で実行されるプログラムを、インターネット等のネットワークに接続されたコンピュータ上に格納し、ネットワーク経由でダウンロードさせることにより提供するように構成しても良い。また、上述した両実施形態の貨幣入出金装置および販売情報処理装置で実行されるプログラムをインターネット等のネットワーク経由で提供または配布するように構成しても良い。
上述した両実施形態の貨幣入出金装置および販売情報処理装置で実行されるプログラムは、上述した各部（ユーザ制限部４６１、払出制御部４６２、解錠制御部４６３、ユーザ制限部１２１、ユーザ情報送信部１２２、エラー判別部１２３、開放指示部１２４）を含むモジュール構成となっている。各々のＣＰＵ（プロセッサ）は、上記ＲＯＭからプログラムを読み出して実行することにより、上記各部を各々の主記憶装置上にロードする。これにより、上記各部が各々の主記憶装置上に生成される。
【００７３】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００７４】
１００…ＰＯＳ端末装置（上位装置、販売情報処理装置）、
１１１…表示部、１１２…操作部、
１２０…制御部、
１２１…ユーザ制限部、１２２…ユーザ情報送信部、
１２３…エラー判別部、１２４…開放指示部、
２００…硬貨釣銭機（貨幣入出金装置）、
２１０…本体部（内部ユニット）、
２１１…収納部、
２１２…投入口、２１２ａ…投入ベルト、
２１３…受皿、
２１４…搬送部、２１４ａ…平板状部材、
２１５…リジェクト孔、
２１６…シャッタ、
２１７…リジェクト皿、
２２０…カバー（筐体）、
２３０…スライドレール、
２４０…表示操作パネル、２４１…表示部（報知部）、２４２…操作ボタン（操作部）、
２５０…ロック部、
２５１…フック、
２５２…ラッチ、
２５２ａ…軸、２５２ｂ…屈曲部分の外側、２５２ｃ…屈曲部分の内側、
２６０…付勢部、
３００…紙幣釣銭機（貨幣入出金装置）、
３１０…本体部、３１１…入金口、３１２…出金口、
３２０…カバー、
３３０…表示操作パネル、３３１…表示部、３３２…操作ボタン、
４１１…制御部、
４１２…ＲＯＭ、
４１３…ＲＡＭ、
４２１…投入口モータ、
４２２…搬送モータ、
４２３…払出モータ、
４３１…受皿残留検知センサ、
４３２…投入検知センサ、
４３３…金種識別センサ、
４３４…選別収納計数センサ、
４３５…払出計数センサ、
４４１…リジェクトシャッタソレノイド、
４４２…リジェクト取忘れセンサ、
４５１…通信Ｉ／Ｆ、
４５２…ブザー（報知部）、
４５３…ユニット開閉ソレノイド、
４６１…ユーザ制限部、
４６２…払出制御部、
４６３…解錠制御部。
【先行技術文献】
【特許文献】
【００７５】
【特許文献１】特開２００４−１９９５９３号公報
【図１】
2018026181.tif 000003
【図２】
2018026181.tif 000004
【図３】
2018026181.tif 000005
【図４】
2018026181.tif 000006
【図５】
2018026181.tif 000007
【図６】
2018026181.tif 000008
【図７】
2018026181.tif 000009
【図８】
2018026181.tif 000010
【図９】
2018026181.tif 000011
【図１０】
2018026181.tif 000012
【図１１】
2018026181.tif 000013
【図１２】
2018026181.tif 000014
【手続補正書】
【提出日】平成29年12月22日(2017.12.22)
【手続補正１】
【補正対象書類名】特許請求の範囲
【補正対象項目名】全文
【補正方法】変更
【補正の内容】
【特許請求の範囲】
【請求項１】
硬貨ないし紙幣を収納する収納部を含む内部ユニットと、
前記内部ユニットを内蔵する筐体と、
上位装置から送信される払出制御信号に基づいて前記収納部から硬貨を払い出す払出制御部と、
前記内部ユニットを前記筐体から押し出す方向に付勢する付勢部と、
電磁気制御で解錠可能で、施錠時は前記内部ユニットを前記付勢部による付勢に抗して前記筐体内に留めるロック部と、
前記上位装置から送信される開放指示信号に基づいて前記ロック部の解錠を制御する解錠制御部と、
を備える貨幣入出金装置。
【請求項２】
前記解錠制御部は、前記ロック部の解錠から所定時間内に施錠操作があった場合、再度前記ロック部に解錠させる
ことを特徴とする請求項１に記載の貨幣入出金装置。
【請求項３】
前記解錠制御部は、解錠理由が内部ユニットにおけるエラー発生であった場合、エラーが排除されないうちは、施錠操作があっても、再度前記ロック部に解錠させる
ことを特徴とする請求項１または２に記載の貨幣入出金装置。
【請求項４】
硬貨ないし紙幣を収納する収納部を含む内部ユニットと、
前記内部ユニットを内蔵する筐体と、
上位装置から送信される払出制御信号に基づいて前記収納部から硬貨を払い出す払出制御部と、
前記内部ユニットにおけるエラーの発生に際して当該エラーの種類を判別するエラー判別部と、
前記内部ユニットを前記筐体から押し出す方向に付勢する付勢部と、
電磁気制御で解錠可能で、施錠時は前記内部ユニットを前記付勢部による付勢に抗して前記筐体内に留めるロック部と、
前記エラー判別部により判別されたエラーが、エラー排除に内部ユニットの開放を要する種類のものである場合、前記ロック部に解錠させる解錠制御部と、
を備える貨幣入出金装置。
【請求項５】
硬貨ないし紙幣を収納する収納部を含む内部ユニットと、前記内部ユニットを内蔵する筐体と、上位装置から送信される払出制御信号に基づいて前記収納部から硬貨を払い出す払出制御部と、前記内部ユニットを前記筐体から押し出す方向に付勢する付勢部と、電磁気制御で解錠可能で、施錠時は前記内部ユニットを前記付勢部による付勢に抗して前記筐体内に留めるロック部と、前記上位装置から送信される開放指示信号に基づいて前記ロック部の解錠を制御する解錠制御部と、を備える貨幣入出金装置に接続される前記上位装置としての販売情報処理装置であって、
ユーザの認証情報の入力があった場合に自装置の稼働を可能にするユーザ制限部と、
前記貨幣入出金装置が出力した信号に基づいて前記貨幣入出金装置に発生したエラーの種類を判別するエラー判別部と、
前記エラー判別部により判別されたエラーが、エラー排除に前記内部ユニットの開放を要する種類のものである場合、前記貨幣入出金装置に前記内部ユニットの開放を指示する信号を送信する開放指示部と、
を備える販売情報処理装置。
【手続補正２】
【補正対象書類名】明細書
【補正対象項目名】０００５
【補正方法】変更
【補正の内容】
【０００５】
実施形態の貨幣入出金装置は、内部ユニットと、筐体と、払出制御部と、付勢部と、ロック部と、解錠制御部と、を備える。内部ユニットは、硬貨ないし紙幣を収納する収納部を含む。筐体は、前記内部ユニットを内蔵する。払出制御部は、上位装置から送信される払出制御信号に基づいて前記収納部から硬貨を払い出す。付勢部は、前記内部ユニットを前記筐体から押し出す方向に付勢する。ロック部は、電磁気制御で解錠可能で、施錠時は前記内部ユニットを前記付勢部による付勢に抗して前記筐体内に留める。解錠制御部は、前記上位装置から送信される開放指示信号に基づいて前記ロック部の解錠を制御する。
【手続補正３】
【補正対象書類名】明細書
【補正対象項目名】０００６
【補正方法】変更
【補正の内容】
【０００６】
実施形態の貨幣入出金装置は、内部ユニットと、筐体と、払出制御部と、エラー判別部と、付勢部と、ロック部と、解錠制御部と、を備える。内部ユニットは、硬貨ないし紙幣を収納する収納部を含む。筐体は、前記内部ユニットを内蔵する。払出制御部は、上位装置から送信される払出制御信号に基づいて前記収納部から硬貨を払い出す。エラー判別部は、前記内部ユニットにおけるエラーの発生に際して当該エラーの種類を判別する。付勢部は、前記内部ユニットを前記筐体から押し出す方向に付勢する。ロック部は、電磁気制御で解錠可能で、施錠時は前記内部ユニットを前記付勢部による付勢に抗して前記筐体内に留める。解錠制御部は、前記エラー判別部により判別されたエラーが、エラー排除に内部ユニットの開放を要する種類のものである場合、前記ロック部に解錠させる。
【手続補正４】
【補正対象書類名】明細書
【補正対象項目名】０００７
【補正方法】変更
【補正の内容】
【０００７】
実施形態の販売情報処理装置は、貨幣入出金装置に接続される上位装置としての販売情報処理装置であって、ユーザ制限部と、エラー判別部と、開放指示部と、を備える。ユーザ制限部は、ユーザの認証情報の入力があった場合に自装置の稼働を可能にする。エラー判別部は、前記貨幣入出金装置が出力した信号に基づいて前記貨幣入出金装置に発生したエラーの種類を判別する。開放指示部は、前記エラー判別部により判別されたエラーが、エラー排除に前記内部ユニットの開放を要する種類のものである場合、前記貨幣入出金装置に前記内部ユニットの開放を指示する信号を送信する。貨幣入出金装置は、硬貨ないし紙幣を収納する収納部を含む内部ユニットと、前記内部ユニットを内蔵する筐体と、前記上位装置から送信される払出制御信号に基づいて前記収納部から硬貨を払い出す払出制御部と、前記内部ユニットを前記筐体から押し出す方向に付勢する付勢部と、電磁気制御で解錠可能で、施錠時は前記内部ユニットを前記付勢部による付勢に抗して前記筐体内に留めるロック部と、前記上位装置から送信される開放指示信号に基づいて前記ロック部の解錠を制御する解錠制御部と、を備える。